(57)【要約】【課題】  湿式のシール材を使用しない施工の容易な改修戸の提供。【解決手段】  既存枠２の内周側に取付ける枠３と、外側定形シール材２４ａ，２４ｂと、内側定形シール材２２ａ，２２ｂ，２２ｃとを備え、内側定形シール材２２ａ，２２ｂ，２２ｃは、既存枠２の戸当り部９と枠３の室内側見付面１９ａ，１９ｂ，１９ｃ間に四周連続して設けてあり、外側定形シール材２４ａ，２４ｂは、上枠１２及び竪枠１４の外周縁部１６ａ，１６ｂと躯体１との隙間に嵌め込んであり、既存枠２の内周側と枠３の間に空間２１ａ，２１ｂが設けてある。【選択図】      図１
2014185496.tif 000002
【特許請求の範囲】
【請求項１】
既存枠の内周側に取付ける枠と、外側定形シール材と、内側定形シール材とを備え、内側定形シール材は、既存枠の戸当り部と枠の室内側見付面間に四周連続して設けてあり、外側定形シール材は、上枠及び竪枠の外周縁部と躯体との隙間に嵌め込んであり、既存枠の内周側と枠の間に空間が設けてあることを特徴とする改修戸。
【発明の詳細な説明】
【技術分野】
【０００１】
本発明は、既存枠を残して戸を改修する改修戸に関する。
【背景技術】
【０００２】
古くなった玄関ドア等の改修に際し、既存枠をそのまま残し、既存枠をカバーするように新しい枠を設置する工法が従来より知られている（例えば、非特許文献１参照。）。このような従来の改修戸は、新しい枠の室外側の外周縁部と躯体との隙間に湿式のシール材を充填してシールすることで、止水、漏気対策を行っている。
この湿式のシール材によるシーリング作業は、枠を取付ける業者とは別の専門の業者が行っていたため、施工費や施工時間が増大することとなっていた。また、枠の室外側の外周縁部を躯体とシールしてあると、新設枠と既存枠との間の空間に湿気がこもりやすく、新設枠施工時に発生する鉄の切粉が新設枠裏の結露水と接触することで錆が発生することがあった。さらに、経年劣化によるシール切れにより漏水が発生するおそれがあった。
【先行技術文献】
【特許文献】
【０００３】
【非特許文献１】三協立山アルミ株式会社発行のカタログ「改装商品  総合カタログ」（カタログＮｏ．ＳＴＢ０２９８Ｇ  Ｙ．１１．１２−０１０）、２０１１年１２月、ｐ．１４８−１４９
【発明の概要】
【発明が解決しようとする課題】
【０００４】
本発明は以上に述べた実情に鑑み、湿式のシール材を使用しない施工の容易な改修戸の提供を目的とする。
【課題を解決するための手段】
【０００５】
上記の課題を達成するために請求項１記載の発明による改修戸は、既存枠の内周側に取付ける枠と、外側定形シール材と、内側定形シール材とを備え、内側定形シール材は、既存枠の戸当り部と枠の室内側見付面間に四周連続して設けてあり、外側定形シール材は、上枠及び竪枠の外周縁部と躯体との隙間に嵌め込んであり、既存枠の内周側と枠の間に空間が設けてあることを特徴とする。
【発明の効果】
【０００６】
請求項１記載の発明による改修戸は、既存枠の戸当り部と枠の室内側見付面間に四周連続して設けた内側定形シール材により気密ラインが形成され、この気密ラインよりも室内側に雨水等が浸入することがなく、また既存枠の内周側と枠の間に空間が設けてあり、この空間を外気と同じ環境とすることができ、これにより空間内に湿気がこもり難くなり、結露の発生や錆の発生を抑えることができ、仮に既存枠と枠の間の空間に雨水が浸入しても空間を通じて外部に排水できる。上枠及び竪枠の外周縁部と躯体との隙間に外側定形シール材を嵌め込んであることで、既存枠と枠の間に雨水が浸入するのを防止できる。外側定形シール材と内側定形シール材は、枠を設置するのと同時に簡易に配設でき、湿式のシール材を使用しないため、施工費や施工時間を削減できる。
【図面の簡単な説明】
【０００７】
【図１】本発明の改修戸の第１実施形態を示す縦断面図である。
【図２】第１実施形態の改修戸の横断面図である。
【図３】第１実施形態の改修戸の室外側正面図である。
【図４】第１実施形態の改修戸の枠の取付け方を示す縦断面図である。
【図５】既存枠と枠の間の空間に浸入した雨水の排水経路を示す図であって、（ａ）は枠の室外側正面図、（ｂ）は上枠部、竪枠部及び下枠部の断面図である。
【図６】本発明の改修戸の第２実施形態を示す縦断面図である。
【図７】第２実施形態の改修戸の横断面図である。
【発明を実施するための形態】
【０００８】
以下、本発明の実施の形態を図面に基づいて説明する。図１〜３は、本発明の改修戸の第１実施形態であって、アパート・マンション等の集合住宅の玄関ドアの場合を示している。本改修戸は、図示しない既存ドアを取外し、躯体１に固定されている既存枠２はそのまま残し、既存枠２の内周側に新しい枠３を設置し、その枠３に新しいドア４を蝶番５で取付けたものである。
【０００９】
既存枠２は、図１，２に示すように、スチール製の上枠６と下枠７と竪枠８，８を溶接により枠組みしたものであり、躯体１に埋め込むようにして躯体１に取付けられている。既存枠２は、室内外方向の中間位置に既存ドアを受ける戸当り部９が、内周側に突出する段状に形成されている。既存枠２の上枠６と竪枠８の室内側見付面６ａ，８ａは、シリコンスポンジよりなる定形シール材１０でカバーされ、その上からアングル状の補助金具１１が上枠６及び竪枠８の全長に取付けてある。なお、図示のものはそうではないが、既存枠２の戸当たり部９に既存ドアとの隙間を塞ぐパッキンを備えるものであってもよい。
【００１０】
枠３は、スチール製の上枠１２と下枠１３と竪枠１４，１４を溶接により枠組みしたものである。上枠１２は、図１に示すように、既存上枠６より室外側に離間した室外側見付面１５ａと、室外側に外周側に突出して形成したフィン１６ａと、既存上枠６より内周側に離間した室外側見込み面１７ａ及び室内側見込み面１８ａと、既存上枠６の戸当り部９と対向する室内側見付面１９ａと、室内側見付面１９ａの室外側に形成されたパッキン保持溝２０ａとを有し、既存上枠６の内周側と上枠１２との間に幅約９ｍｍの広い空間２１ａが形成されている。室内側見付面１９ａと既存上枠６の戸当り部９との間には、半連続気泡ゴム（ＥＰＤＭスポンジ）よりなる内側定形シール材２２ａが、室内外方向につぶした状態で長手方向の全長に設けてある。フィン１６ａは、既存上枠６の室外側面に当接させ、室外側からのネジ２３で固定してある。フィン１６ａと躯体１との間の隙間には、シリコーンスポンジよりなる外側定形シール材２４ａが外周側から嵌め込んであり、室外側定形シール材２４ａにより既存上枠６と上枠１２との間の空間２１ａに雨水が浸入するのを防いでいる。室内側見込み面１８ａは、補助金具１１の内周側に当接させ、内周側からのネジ２５で固定してある。パッキン保持溝２０ａには、パッキン２６ａが室外側から圧入して取付けられ、パッキン２６ａにドア４の室内側面の縁部が当接している。
【００１１】
竪枠１４は、図２に示すように、上述した上枠１２と同様に、既存竪枠８より室外側に離間した室外側見付面１５ｂと、室外側に外周側に突出して形成したフィン１６ｂと、既存竪枠８より内周側に離間した室外側見込み面１７ｂ及び室内側見込み面１８ｂと、既存竪枠８の戸当り部９と対向する室内側見付面１９ｂと、室内側見付面１９ｂの室外側に形成されたパッキン保持溝２０ｂとを有し、既存竪枠８の内周側と竪枠１４との間に幅約９ｍｍの広い空間２１ｂが形成されている。室内側見付面１９ｂと既存竪枠８の戸当り部９との間には、半連続気泡ゴム（ＥＰＤＭスポンジ）よりなる内側定形シール材２２ｂが、室内外方向につぶした状態で長手方向の全長に設けてある。フィン１６ｂは、既存竪枠８の室外側面に当接させ、室外側からのネジ２３で固定してある。フィン１６ｂと躯体１との間の隙間には、シリコーンスポンジよりなる外側定形シール材２４ｂが外周側から嵌め込んであり、外側定形シール材２４ｂにより既存竪枠８と竪枠１４との間の空間２１ｂに雨水が浸入するのを防いでいる。室内側見込み面１８ｂは、補助金具１１の内周側に当接させ、内周側からのネジ２５で固定してある。パッキン保持溝２０ｂには、パッキン２６ｂが室外側から圧入して取付けられ、パッキン２６ｂにドア４の室内側面の縁部が当接している。
【００１２】
下枠１３は、図１に示すように、室外側見込み面１７ｃ及び室内側見込み面１８ｃと、既存下枠７の戸当り部９と対向する室内側見付面１９ｃと、室内側見付面１９ｃの室外側に形成されたパッキン保持溝２０ｃとを有し、既存下枠７の内周側にほとんど隙間をあけない状態で配置され、内周側からのネジ２５で固定してある。下枠１３の上面には、ステンレス板よりなるカバー２７が設けてある。室内側見付面１９ｃと既存下枠７の戸当り部９との間には、半連続気泡ゴム（ＥＰＤＭスポンジ）よりなる内側定形シール材２２ｃが、室内外方向につぶした状態で長手方向の全長に設けてある。四周の内側定形シール材２２ａ，２２ｂ，２２ｃは、端部同士を当接させて連続させている。パッキン保持溝２０ｃには、パッキン２６ｃが室外側から圧入して取付けられ、パッキン２６ｃにドア４の室内側面の縁部が当接している。
【００１３】
上枠１２の端部と竪枠１４の端部とは、図５に示すように、フィン１６ａ，１６ｂ以外の部分を斜め４５°にカットして突合せ、溶接にて接合してある。これにより、既存上枠６と上枠１２の間と既存竪枠８と竪枠１４の間とに空間２１ａ，２１ｂを大きく形成できると共に、既存上枠６と上枠１２の間の空間２１ａと既存竪枠８と竪枠１４の間の空間２１ｂとを連通させている。既存竪枠８と竪枠１４の間の空間２１ｂの下端は開口しており、これにより既存上枠６と上枠１２の間の空間２１ａ及び既存竪枠８と竪枠１４の間の空間２１ｂが外気と連通し、外気と同じ環境になる。竪枠１４の端部と下枠１３の端部とは、いわゆる竪通しの状態で突き合わせて溶接してある。
【００１４】
次に、本改修戸の施工手順を説明する。まず、既存枠２から既存ドアを撤去する。次に、図４に示すように、枠組みした枠３の室内側見付面１９ａ，１９ｂ，１９ｃに内側定形シール材２２ａ，２２ｂ，２２ｃを両面テープ等で取付けた上で、既存枠２の内周側に枠３を室外側から嵌め込む。そうすると、内側定形シール材２２ａ，２２ｂ，２２ｃは既存枠２の戸当り部９に押し付けられて、室内外方向に潰れた状態になる。上枠１２及び竪枠１４の内側定形シール材２２ａ，２２ｂは、もともとの厚みが７ｍｍで、設置状態では約３ｍｍ潰れ、下枠１３の内側定形シール材２２ｃは、もともとの厚みが５ｍｍで、設置状態では約３ｍｍ潰れる。その後、枠３をネジ２３，２５で固定する。その後、上枠１２及び竪枠１４のフィン１６ａ，１６ｂと躯体１の間の隙間に外側定形シール材２４ａ，２４ｂを嵌め込む。その後、枠３のパッキン保持溝２０ａ，２０ｂ，２０ｃにパッキン２６ａ，２６ｂ，２６ｃを取付け、枠３にドア４を蝶番５で取付ける。
【００１５】
以上に述べたように本改修戸は、室内側見付面１９ａ，１９ｂ，１９ｃに内側定形シール材２２ａ，２２ｂ，２２ｃを取付けた枠３を、既存枠２の内周側に室外側から押し込み、内側定形シール材２２ａ，２２ｂ，２２ｃを既存枠２の戸当り部９に押し付けて潰すことで、四周連続した気密ラインが形成され、これにより既存枠２と枠３の隙間等から枠３の裏に入った水や空気が内側定形シール材２２ａ，２２ｂ，２２ｃより室内側に浸入しない。既存上枠６の内周側と上枠１２の間、既存竪枠８の内周側と竪枠１４の間には空間２１ａ，２１ｂが形成され、これらの空間２１ａ，２１ｂは互いに連通しており、尚且つ既存竪枠８の内周側と竪枠１４との間の空間２１ｂの下部が外気と連通しているため、これらの空間２１ａ，２１ｂ内が外気と同じ環境となり、空間２１ａ，２１ｂ内に湿気がこもり難く、濡れても乾きやすくなり、枠３の裏等に結露や錆が発生するのを防止できる。また、このように空間２１ａ，２１ｂが形成されていることで、図５に示すように、仮に上枠１２と既存上枠６との隙間などから雨水２８が浸入しても、これらの空間２１ａ，２１ｂを排水経路として下方より外部に排水することができる。上枠１２及び竪枠１４の外周縁部（フィン１６ａ，１６ｂ）と躯体１との隙間に外側定形シール材２４ａ，２４ｂを嵌め込んであることで、既存枠２と枠３の間に雨水が浸入するのを防止できる。外側定形シール材２４ａ，２４ｂと内側定形シール材２２ａ，２２ｂ，２２ｃは、枠３を設置するのと同時に簡易に配設でき、湿式のシール材を使用しないため、施工費や施工時間を削減できる。
【００１６】
図６，７は、本発明による改修戸の第２実施形態を示している。本実施形態の改修戸は、枠３が第１実施形態のものよりも室外側に大きく突出しており、ドア４を既存枠２の室外側に持ち出した状態で枠３に取付けてある。
枠３には、室内側見込み面１８ａ，１８ｂ，１８ｃの所定の位置にアングル２９を外周側に突出して設け、アングル２９と既存枠２の戸当り部９との間に内側定形シール材２２ａ，２２ｂ，２２ｃを設けている。既存上枠６と既存竪枠８の室外側の見付面には、アングル状の補助金具３０が取付けられ、補助金具３０に上枠１２と竪枠１４をネジ２３で固定している。本実施形態のものは、上枠１２と竪枠１４の外周縁部（フィン１６ａ，１６ｂ）と躯体１との隙間に外側定形シール材２４ａ，２４ｂを嵌め込むことに加え、下枠１３と躯体１との間の隙間にも外側定形シール材３１を嵌め込んでいる。
【００１７】
本実施形態の改修戸も、第１実施形態のものと同様に、内側定形シール材２２ａ，２２ｂ，２２ｃにより気密ラインが形成され、水や空気が室内側に浸入するのを阻止できる、既存枠２と枠３の間の空間２１ａ，２１ｂが外気と同じ環境となり、結露や錆の発生を防止できる、既存枠２と枠３の間に雨水が浸入しても空間２１ａ，２１ｂを排水経路として外部に排水できる、湿式のシール材を使用しないため、施工費や施工時間を削減できるといった効果がある。
【００１８】
本発明は以上に述べた実施形態に限定されない。枠３の材質や形状、外側・内側定形シール材２２ａ，２２ｂ，２２ｃ，２４ａ，２４ｂの材質や形状は、適宜変更することができる。内側定形シール材２２ａ，２２ｂ，２２ｃは、既存枠２側に取付けておくこともできる。内側定形シール材２２ａ，２２ｂ，２２ｃは、既存枠２と枠３の間の気密性を確保できればよく、必ずしも押しつぶさなくてもよい。既存枠２の内周側と枠３の間の空間２１ａ，２１ｂの大きさは、特に限定されないが、排水性をよくするためにある程度広い空間（例えば、幅５ｍｍ以上）であることが好ましい。本発明の改修戸は、集合住宅の玄関ドアに限らず、一般の住宅の玄関ドア、勝手口ドア等に適用することもできる。
【符号の説明】
【００１９】
１  躯体
２  既存枠
３  枠
９  既存枠の戸当り部
１２  上枠
１３  下枠
１４  竪枠
１６ａ  フィン（上枠の外周縁部）
１６ｂ  フィン（竪枠の外周縁部）
１９ａ，１９ｂ，１９ｃ  枠の室内側見付面
２１ａ，２１ｂ  空間
２２ａ，２２ｂ，２２ｃ  内側定形シール材
２４ａ，２４ｂ  外側定形シール材
２９  アングル（枠の室内側見付面）
【図１】
2014185496.tif 000003
【図２】
2014185496.tif 000004
【図３】
2014185496.tif 000005
【図４】
2014185496.tif 000006
【図５】
2014185496.tif 000007
【図６】
2014185496.tif 000008
【図７】
2014185496.tif 000009